(57)【要約】【課題】  一体成型端子台本体により、レールなしで直接中継ボックスに取り付けることのできる端子台を提供すること。【解決手段】  上部が開口された複数の端子室を設け、この端子室間に連通するスリットを設けた絶縁材料によって一体成型した端子台本体と，板材の両端にネジ穴をこのネジ穴間に長孔を長方形状に形成した端子受け板と，ネジ穴を形成した皿部とこの皿部の一端部から下方に伸びる足部とによって構成した端子押さえ板と，端子押さえ板の足部に嵌着し皿部を上方に付勢する付勢手段と，端子押さえ板の皿部のネジ穴に螺合する固定手段とによって構成する。【選択図】    図  １
2005174863.tif 000002
【特許請求の範囲】
【請求項１】
上部が開口された少なくとも左・右一対の端子室を有し、該端子室間には連通するスリットが形成され、該端子室の底部には穴と丸穴が形成され、絶縁材料により一体成型されている端子台本体と，
板材で構成され、該板材には長手方向両端にネジ穴を形成し、該２つのネジ穴間に長孔を形成してなり、前記端子台本体のスリットに嵌合する端子受け板と，
前記端子台本体の端子室に嵌合する皿部と、該皿部の一端部から下方に伸びる足部とからなり、前記皿部には、その略中央に固定手段を装着する穴を形成し、前記足部は、前記端子台本体の穴に嵌合するように構成する端子押さえ板と，
前記端子押さえ板の足部に嵌着し、前記皿部を上方に付勢し前記皿部と前記端子台本体の端子室底部の間に空間を保持する付勢手段と，
前記端子押さえ板の皿部の穴に装着する固定手段と，
によって構成することを特徴とする端子台。
【請求項２】
前記端子押さえ板の皿部の外周に凹部を設け、前記端子台本体の端子室のそれぞれに端子室の深さ方向に棒状に延在するガイド部材を設け、前記凹部を前記ガイド部材に嵌合することにより前記端子押さえ板の皿部を前記端子台本体の端子室の深さ方向に案内するようにしたことを特徴とする請求項１に記載の端子台。
【請求項３】
前記端子押さえ板の足部の先端に前記端子受け板の長孔に係合する係止部を設け、前記端子台本体の端子室に装着した前記端子押さえ板が前記端子受け板を装着した後に前記端子台本体の端子室から離脱しないようにしたことを特徴とする請求項１又は２に記載の端子台。
【請求項４】
前記端子台本体の端子室のそれぞれに端子室の深さ方向に延在する溝部を設け、前記端子押さえ板の足部をガイドするようにしたことを特徴とする請求項１、２又は３に記載の端子台。
【請求項５】
前記端子受け板の長孔を長方形状に形成して、該長孔の周縁に凹部を設け、該端子受け板を前記端子台本体のスリットに嵌合した際に前記端子押さえ板の足部の先端の係止部が貫挿するようにしたことを特徴とする請求項３又は４に記載の端子台。
【請求項６】
前記端子台本体の左右一対の端子室は、複数個であることを特徴とする請求項１、２、３、４又は５に記載の端子台。
【請求項７】
上部が開口し、すくなくとも左・右一対の端子室を有し、該端子室のそれぞれに端子室の深さ方向に棒状に延在するガイド部材が設けられ、該端子室間に連通するスリットが設けられ、該端子室のそれぞれの壁面に端子室の深さ方向に案内するガイド部材と端子室の深さ方向に延在する溝部とを設け、該端子室の底部には穴と丸穴が形成された絶縁材料により一体成型されている端子台本体の前記スリットに，
板材で構成され、該板材には長手方向両端にネジ穴を形成し、該２つのネジ穴間に長孔を形成し、該長孔の周縁に凹部を設けてなる端子受け板を、前記端子室の底部の穴と前記長孔の周縁に形成される凹部とが一致する位置まで挿入し，
略中央に端子固定ビスを装着する穴を形成すると共に外周に前記端子室のガイド部材に係合する凹部を形成した皿部と、前記皿部を上方に付勢する付勢手段を取り付け該皿部の一端部から下方に伸びる足部とからなる端子押さえ板を前記端子室に嵌着し、前記足部先端を前記端子受け板の凹部を貫通し前記端子室の底部の穴に貫入し，
前記端子受け板を、前記端子台本体のスリットにさらに押し込み、所定の位置に装着することを特徴とする端子台の組立方法。
【請求項８】
前記端子押さえ板の皿部の穴には、前記端子室に嵌着前又は嵌着後に、端子固定ビスを装着するようにしたことを特徴とする請求項７に記載の端子台の組立方法。
【発明の詳細な説明】
【技術分野】
【０００１】
本発明は、制御機器電気製品の配線に使用する端子台に係り、特に、セッティングを容易に行うことができる端子台、および端子台の組立方法に関する。
【背景技術】
【０００２】
従来から実施されている端子台には、一般に、ジャンプアップ方式とプッシュロック方式のものがある。ジャンプアップ方式は、配線時仮止めができない、プッシュロック方式は、端子ネジを外すときに端子ネジを押し上げる操作を必要とするといった問題がそれぞれある。
【０００３】
従来の端子台として、バネにより端子座金を常時上方に付勢するジャンプアップ方式の端子台において、端子座金が上昇位置にある時に丸形圧着端子を装着してドライバー等で端子座金を押圧して仮止めできる構造が提案されている（例えば特許文献１参照）。
【０００４】
また、電気線同士を取り付け及び取り外し可能に接続する従来の端子台として、バネにより端子座金を常時上方に付勢するジャンプアップ方式の端子台において、電気導通板によって導通した一対の端子を、絶縁材である合成樹脂材で成型された端子保持枠に保持したものを端子単体として、複数個の端子単体を取付用レールに固定保持した構成のものが提案されている（例えば特許文献２参照）。
【特許文献１】実公平４−２５８０９号公報
【特許文献２】特公平７−６０７０６号公報
【発明の開示】
【発明が解決しようとする課題】
【０００５】
この特許文献１は、図３に示すように、端子ネジ５の右側に示すように端子ネジ５がバネ１１の付勢により上昇位置にあり、端子ネジ５の下端と端子板２間の空間Ａに丸形圧着端子１６を差込み、図左側に示すようにドライバー１７で下方へ若干押した上でＢ方向に倒すことによりバネ１１の復元力方向Ｃの作用により端子座金６が移動し端子座金６の端部が係止部１４のダンプ１８に係止し、端子ネジ５の軸小部２３が丸形圧着端子１６の孔１９と端子板２のネジ孔２０に入込み、丸形圧着端子１６が図２の左側のように仮止めされ、更に端子ネジ５を真っ直ぐな状態に戻しねじ込むと図１の左側のように配線が完了するようになっている。
【０００６】
このように、特許文献１に示される端子台は、端子固定板アップ構造（ジャンプアップ方式）の端子台で、この種のタイプの端子台は、セパレートタイプのもので、ピン数が多くなればなるほど作業時間がかかるという問題を有している。また、特許文献１に示される端子台は、組み付け作業に多大な時間を要するという問題を有している。また、特許文献１に示される端子台は、部品点数が多く、構造が複雑になるという問題を有している。
【０００７】
また、特許文献２は、図１，２に示すように、合成樹脂材により一体成型されている端子保持枠１０が、左・右の２室に分かれて形成されれ、その上面側に、左・右一対の操作用開口１２，１２が形成されており、この端子保持枠１０の下面には、取付用レール４に取着するための係合部３２が形成されて端子単体２が構成されている。また、この端子保持枠１０の左・右の２室を仕切る隔壁には、隙間が形成されており、その隙間を貫通して電気導通板１６が左・右の２室に跨るように配設されている。そして、このように構成される端子単体２は、端子保持枠１０の下面の係合部３２を取付用レール４に取着し、これによって端子台を構成している。
【０００８】
このように、特許文献２に示される端子台は、端子台を構成するのにレールを必要とし、中継ボックスに直接取り付けることができないし、端子台の大きさに応じて予めレールの長さを設定しなければならないという問題を有している。
【０００９】
本発明の目的は、一体成型端子台本体により、レールなしで直接中継ボックスに取り付けることのできる端子台を提供することにある。
【００１０】
本発明の他の目的は、現場合わせでも容易に組み立てることのできる端子台の組立方法を提供することにある。
【課題を解決するための手段】
【００１１】
本願請求項１に記載の発明に係る端子台は、上部が開口された少なくとも左・右一対の端子室を有し、該端子室間には連通するスリットが形成され、該端子室の底部には穴と丸穴が形成され、絶縁材料により一体成型されている端子台本体と，
板材で構成され、該板材には長手方向両端にネジ穴を形成し、該２つのネジ穴間に長孔を形成してなり、前記端子台本体のスリットに嵌合する端子受け板と，
前記端子台本体の端子室に嵌合する皿部と、該皿部の一端部から下方に伸びる足部とからなり、前記皿部には、その略中央に固定手段を装着する穴を形成し、前記足部は、前記端子台本体の穴に嵌合するように構成する端子押さえ板と，
前記端子押さえ板の足部に嵌着し、前記皿部を上方に付勢し前記皿部と前記端子台本体の端子室底部の間に空間を保持する付勢手段と，
前記端子押さえ板の皿部の穴に装着する固定手段と，
によって構成したものである。
【００１２】
本願請求項２に記載の発明に係る端子台は、前記端子押さえ板の皿部の外周に凹部を設け、前記端子台本体の端子室のそれぞれに端子室の深さ方向に棒状に延在するガイド部材を設け、前記凹部を前記ガイド部材に嵌合することにより前記端子押さえ板の皿部を前記端子台本体の端子室の深さ方向に案内するように構成したものである。
【００１３】
本願請求項３に記載の発明に係る端子台は、前記端子押さえ板の足部の先端に前記端子受け板の長孔に係合する係止部を設け、前記端子台本体の端子室に装着した前記端子押さえ板が前記端子受け板を装着した後に前記端子台本体の端子室から離脱しないように構成したものである。
【００１４】
本願請求項４に記載の発明に係る端子台は、前記端子台本体の端子室のそれぞれに端子室の深さ方向に延在する溝部を設け、前記端子押さえ板の足部をガイドするように構成したものである。
【００１５】
本願請求項５に記載の発明に係る端子台は、前記端子受け板の長孔を長方形状に形成して、該長孔の周縁に凹部を設け、該端子受け板を前記端子台本体のスリットに嵌合した際に前記端子押さえ板の足部の先端の係止部が貫挿するように構成したものである。
【００１６】
本願請求項６に記載の発明に係る端子台は、前記端子台本体の左右一対の端子室を、複数個設けて構成したものである。
【００１７】
本願請求項７に記載の発明に係る端子台の組立方法は、上部が開口し、すくなくとも左・右一対の端子室を有し、該端子室のそれぞれに端子室の深さ方向に棒状に延在するガイド部材が設けられ、該端子室間に連通するスリットが設けられ、該端子室のそれぞれの壁面に端子室の深さ方向に案内するガイド部材と端子室の深さ方向に延在する溝部とを設け、該端子室の底部には長方形状の穴と丸穴が形成された絶縁材料により一体成型されている端子台本体の前記スリットに，
板材で構成され、該板材には長手方向両端にネジ穴を形成し、該２つのネジ穴間に長孔を形成し、該長孔の周縁に凹部を設けてなる端子受け板を、前記端子室の底部の穴と前記長孔の周縁に形成される凹部とが一致する位置まで挿入し，
略中央に端子固定ビスを螺合するネジ穴を形成すると共に外周に前記端子室のガイド部材に係合する凹部を形成した皿部と、前記端子室の前記端子受け板の長孔に係合する係止部が設けられ、前記皿部を上方に付勢する付勢手段を取り付け巻き付け該皿部の一端部から下方に伸びる足部とからなる端子押さえ板を前記端子室に嵌着し、前記足部先端を前記端子受け板の凹部を貫通し前記端子室の底部の穴に貫入し，
前記端子受け板を、前記端子台本体のスリットにさらに押し込み、所定の位置に装着するようにしたものである。
【００１８】
本願請求項８に記載の発明に係る端子台の組立方法を、前記端子押さえ板の皿部の穴に、前記端子室に嵌着前又は嵌着後に、端子固定ビスを装着するように構成したものである。
【発明の効果】
【００１９】
本願請求項１に記載の発明によれば、レールなしで直接中継ボックスに取り付けることができる。
【００２０】
本願請求項２に記載の発明によれば、レールなしで直接中継ボックスに取り付けることができる。
【００２１】
本願請求項３に記載の発明によれば、レールなしで直接中継ボックスに取り付けることができる。
【００２２】
本願請求項４に記載の発明によれば、レールなしで直接中継ボックスに取り付けることができる。
【００２３】
本願請求項５に記載の発明によれば、レールなしで直接中継ボックスに取り付けることができる。
【００２４】
本願請求項６に記載の発明によれば、レールなしで直接中継ボックスに取り付けることができる。
【００２５】
本願請求項７に記載の発明によれば、現場合わせでも容易に組み立てることができる。
【００２６】
本願請求項７に記載の発明によれば、現場合わせでも容易に組み立てることができる。
【発明を実施するための最良の形態】
【００２７】
本発明は、上部が開口された複数の端子室を設け、この端子室間に連通するスリットを設けた合成樹脂材によって一体成型した端子台本体と，長方形状の板材の両端にネジ穴をこのネジ穴間に長方形状の長孔形成した端子受け板と，ネジ穴を形成した皿部とこの皿部の一端部から下方に伸びる足部とによって構成した端子押さえ板と，端子押さえ板の足部に嵌着し皿部を上方に付勢するコイルスプリングと，端子押さえ板の皿部のネジ穴に螺合する端子固定ビスとによって構成することにより、レールなしで直接中継ボックスに取り付けることができる端子台を実現することができる。
【実施例１】
【００２８】
図１〜図６には、本発明に係る端子台、および端子台の組立方法の第１の実施例が示されている。図１は端子台の斜視図、図２は図１に図示端子台の平面図、図３は図２に図示端子台の正面図、図４は図２に図示端子台の側面図、図５は図１に図示端子受け板の平面図、図６は図５に図示端子受け板の側面図である。
【００２９】
図１〜図４において、端子台１は、端子台本体２と、端子受け板３と、端子押さえ板４と、コイルスプリング５と、端子固定ビス４０とによって構成されている。
【００３０】
端子台本体２は、合成樹脂材により一体成型されており、上部が開口され、矩形上に形成された左・右一対の端子室６、７を有している。この端子室６と端子室７とは、同様な構成になっているので、ここでは、便宜上、端子室６の構成について説明する。端子室６は、四方の壁面の一面が開放されている。また、この端子室６の開放面に対向する壁面６Ａには、端子室６と端子室７との間を連通するスリット８が形成されている。
【００３１】
また、端子室６の底面６Ｂには、溝９が形成されており、この溝９は、端子受け板３のねじ穴を形成する突起を通すためのものである。この溝９の両端部が端子受け板３を案内するガイドの役目を果たしている。また、この端子室６の底面６Ｂには、長方形状の穴１０と、丸穴１１とが形成されており、この端子室６の壁面６Ｃには、端子室６の深さ方向に棒状に延在するガイド部材１２が設けられている。また、端子室６の壁面６Ａには、端子室６の深さ方向に延在する溝部１３が設けられている。
【００３２】
図中、１４、１５は、端子台本体２を取り付ける取付部材で、１４Ａ、１５Ａは、取付部材１４、１５に設けられた端子台本体２をねじで取り付ける貫通孔である。
【００３３】
端子受け板３は、図１、図５、図６に示す如く、長方形状の板材２０で構成されている。この板材２０には、長手方向両端にネジ穴２１、２２が設けられており、この２つのネジ穴２１、２２の間には、長方形状の長孔２３が設けられている。この長孔２３の周縁には、長孔２３の長手方向略中央には、端子室６用の凹部２４が、長孔２３の周縁の長孔２３の長手方向端部には、端子室７用の凹部２５がそれぞれ設けられている。この端子受け板３は、端子台本体２の溝９の両端部に沿ってスライドさせ、端子室６と端子室７との間を連通するスリット８に挿入し、端子室６と端子室７に跨って配置される。
【００３４】
端子押さえ板４は、図１に示す如く、端子台本体２の端子室６に嵌合する皿部３０と、この皿部３０の一端部から下方に伸びる足部３１とによって構成されている。
【００３５】
皿部３０には、その略中央に端子固定ビス４０を装着する穴３２が設けられている。また、皿部３０には、外周に凹部３３が設けられており、この凹部３３は、端子室６の壁面６Ｃに形成される端子室６の深さ方向に棒状に延在するガイド部材１２に係合するためのもので、この皿部３０の凹部３３と、端子室６のガイド部材１２とによって端子押さえ板４の皿部３０を端子台本体２の端子室６の深さ方向に案内するようになっている。
【００３６】
足部３１は、皿部３０の一端部から下方に棒状に伸びるように構成され、この足部３１は、端子台本体２の長方形状の穴１０に嵌合するようになっている。そして、皿部３０を下方に押圧した際に足部３１は、端子台本体２の長方形状の穴１０内に出入するようになっている。この足部３１には、その先端に、足部３１の先端を曲げた端子受け板３の長孔２３に係合する係止部３４が設けられている。この係止部３４は、端子受け板３の長方形状の板材２０に形成された長孔２３の周縁に設けられた凹部２４に嵌合し、係止部３４が足部３１を長孔２３に沿って移動することによって端子受け板３の長方形状の板材２０のた長孔２３の周縁に係合し、端子台本体２の端子室６に装着した端子押さえ板３が端子受け板４を装着した後に端子台本体２の端子室６から離脱しないようにするためのものである。
【００３７】
この足部３１は、端子室６の壁面６Ａに設けられている端子室６の深さ方向に延在する溝部１３に収納され、端子室６の壁面６Ａに設けられている溝部１３が足部３１をガイドする役目を果たしている。
【００３８】
コイルスプリング５は、端子押さえ板４の足部３１に嵌着されており、皿部３０を上方に付勢し、皿部３０と端子台本体２の端子室６の底面６Ｂの間に空間を保持する作用を有している。このコイルスプリング５の上端部は皿部３０の下面に当接し、コイルスプリング５の下端部は端子受け板３の長方形状の板材２０に形成された長孔２３の周縁に当接しており、コイルスプリング５は、皿部３０を端子受け板３から離反する方向（上方）に付勢している。
【００３９】
端子固定ビス４０は、端子押さえ板４の皿部３０の穴３２に挿入し、皿部３０を下方に押し下げ、端子受け板３の穴２２に螺合し、端子押さえ板４の皿部３０と端子受け板３との間に電線の導体を固定するためのものある。
【００４０】
このように構成される端子台１は、次のようにして組み立てる。すなわち、まず、端子台本体２の端子室６、７間に連通するスリット８に端子受け板３を嵌入し、長方形状の長孔２３の周縁に形成される凹部２４が端子室６の底面６Ｄの長方形状の穴１０に一致する位置まで挿入する。しかる後、足部３１にコイルスプリング５を巻き付けた状態で、足部３１を端子受け板３を端子受け板３の長方形状の長孔２３を貫通し、端子室６の底面６Ｄの長方形状の穴１０に嵌入する。そして、足部３１の先端の係止部３４が端子受け板３の下部に突出したことを確認した後、端子受け板３を図１の矢印に示す如く足部３１が移動するように端子受け板３を端子台本体２のスリット８にさらに押し込み、所定の位置に装着する。
【００４１】
この際、端子押さえ板４の皿部３０の穴に装着する端子固定ビス４０は、端子室６に端子受け板３を嵌着する前又は嵌着した後に行う。
【実施例２】
【００４２】
図７〜図１０には、本発明に係る端子台、および端子台の組立方法の第２の実施例が示されている。図１０は端子台の斜視図、図８は端子台の平面図、図９は図８に図示端子台の正面図、図１０は図８に図示端子台の側面図である
図７〜図１０において、本実施例が図１〜図６に図示の実施例と異なるのは、図１〜図６に図示の実施例の端子台が合成樹脂材により一体成型されている端子台本体２の端子室を６、７を左・右一対、２室設けているのに対し、本実施例の端子台は合成樹脂材により一体成型されている端子台本体２の左・右一対の端子室を連接して４つ端子室を設けている点が異なる。他の構成は、図１〜図６に図示の実施例において説明した構成と同じである。
【００４３】
すなわち、端子台１０１は、端子台本体１０２と、端子受け板３（図１に図示の端子受け板３と同じ構成）と、端子押さえ板４（図１に図示の端子押さえ板４と同じ構成で）と、コイルスプリング５（図１に図示のコイルスプリング５と同じ構成）と、端子固定ビス４０（図１に図示の端子固定ビス４０と同じ構成）とによって構成されている。
【００４４】
端子台本体１０２は、合成樹脂材により一体成型されており、上部が開口され、矩形上に形成された左・右一対の室を連接した４つの端子室１０６、１０７、１０８、１０９を有している。この端子室１０６と端子室１０７と端子室１０８と端子室１０９とは、同様な構成になっているので、ここでは。便宜上、端子室１０６の構成について説明する。端子室１０６は、四方の壁面の一面が開放されている。また、この端子室１０６の開放面に対向する壁面１０６Ａには、端子室１０６と端子室１０７との間を連通するスリット１１０が形成されている。
【００４５】
また、端子室１０６の底面１０６Ｂには、溝１１１が形成されており、この溝１１１は、端子受け板３のねじ穴を形成する突起を通すためのものである。この溝１１１の両端部が端子受け板３を案内するガイドの役目を果たしている。また、この端子室１０６の底面１０６Ｂには、長方形状の穴１１２と、丸穴１１３とが形成されており、この端子室１０６の壁面１０６Ｃには、端子室１０６の深さ方向に棒状に延在するガイド部材１１４が設けられている。また、端子室１０６の壁面１０６Ａには、端子室１０６の深さ方向に延在する溝部１１５が設けられている。
【００４６】
図中、１１６、１１７、１１８は、端子台本体２を取り付ける取付部材で、１１６Ａ、１１７Ａ、１１８Ａは、取付部材１１６、１１７、１１８に設けられた端子台本体１０２をねじで取り付ける貫通孔である。
【００４７】
端子室１０６と端子室１０７との間に連通するスリット１１０に挿入し、端子室１０６と端子室１０７に跨って配置される端子受け板３は、図５、図６に示す端子受け板３同様、長方形状の板材２０で構成されている。この板材２０には、長手方向両端にネジ穴２１、２２が設けられており、この２つのネジ穴２１、２２の間には、長方形状の長孔２３が設けられている。この長孔２３の周縁には、長孔２３の長手方向略中央には、端子室１０６用の凹部２４が、長孔２３の周縁の長孔２３の長手方向端部には、端子室１０７用の凹部２５がそれぞれ設けられている。
【００４８】
端子押さえ板４は、図１に示す端子押さえ板４同様、端子台本体１０２の端子室１０６に嵌合する皿部３０と、この皿部３０の一端部から下方に伸びる足部３１とによって構成されている。
【００４９】
皿部３０には、その略中央に端子固定ビス４０を装着する穴３２が設けられている。また、皿部３０には、外周に凹部３３が設けられており、この凹部３３は、端子室６の壁面６Ｃに形成される端子室１０６の深さ方向に棒状に延在するガイド部材１１４に係合するためのもので、この皿部３０の凹部３３と、端子室１０６のガイド部材１１４とによって端子押さえ板１０４の皿部３０を端子台本体１０２の端子室１０６の深さ方向に案内するようになっている。
【００５０】
足部３１は、皿部３０の一端部から下方に棒状に伸びるように構成され、この足部３１は、端子台本体１０２の長方形状の穴１１２に嵌合するようになっている。そして、皿部３０を下方に押圧した際に足部３１は、端子台本体１０２の長方形状の穴１１２内に出入するようになっている。この足部３１には、その先端に、足部３１の先端を曲げた端子受け板３の長孔２３に係合する係止部３４が設けられている。この係止部３４は、端子受け板３の長方形状の板材２０に形成された長孔２３の周縁に設けられた凹部２４に嵌合し、係止部３４が足部３１を長孔２３に沿って移動することによって端子受け板３の長方形状の板材２０の長孔２３の周縁に係合し、端子台本体１０２の端子室１０６に装着した端子押さえ板３が端子受け板４を装着した後に端子台本体１０２の端子室１０６から離脱しないようにするためのものである。
【００５１】
この足部３１は、端子室１０６の壁面１０６Ａに設けられている端子室１０６の深さ方向に延在する溝部１１５に収納され、端子室１０６の壁面１０６Ａに設けられている溝部１１５が足部３１をガイドする役目を果たしている。
【００５２】
コイルスプリング５は、端子押さえ板４の足部３１に嵌着されており、皿部３０を上方に付勢し、皿部３０と端子台本体１０２の端子室１０６の底面１０６Ｂの間に空間を保持する作用を有している。このコイルスプリング５の上端部は皿部３０の下面に当接し、コイルスプリング１０５の下端部は端子受け板３の長方形状の板材２０に形成された長孔２３の周縁に当接しており、コイルスプリング１０５は、皿部３０を端子受け板３から離反する方向（上方）に付勢している。
【００５３】
端子固定ビス４０は、端子押さえ板４の皿部３０の穴３２に挿入し、皿部３０を下方に押し下げ、端子受け板３の穴２２に螺合し、端子押さえ板４の皿部３０と端子受け板３との間に電線の導体を固定するためのものある。
【００５４】
このように構成される端子台１０１は、次のようにして組み立てる。すなわち、まず、端子台本体１０２の端子室１０６、１０７間と端子室１０８、１０９間に連通するスリット１１０に端子受け板３を嵌入し、長方形状の長孔２３の周縁に形成される凹部２４が端子室１０６の底面１０６Ｄの長方形状の穴１１２に一致する位置まで挿入する。しかる後、足部３１にコイルスプリング５を巻き付けた状態で、足部３１を端子受け板１０３を端子受け板１０３の長方形状の長孔２３を貫通し、端子室１０６の底面１０６Ｄの長方形状の穴１０に嵌入する。そして、足部３１の先端の係止部３４が端子受け板１０３の下部に突出したことを確認した後、端子受け板１０３を足部３１が移動するように端子受け板１０３を端子台本体１０２のスリット１１０にさらに押し込み、所定の位置に装着する。
【００５５】
この際、端子押さえ板４の皿部３０の穴に装着する端子固定ビス４０は、端子室１０６に端子受け板３を嵌着する前又は嵌着した後に行う。
【００５６】
また、端子室１０８においても端子室１０６と同様に、端子受け板３と、端子押さえ板４と、コイルスプリング５と、端子固定ビス４０を装着する。
【実施例３】
【００５７】
図１１〜図１３には、本発明に係る端子台、および端子台の組立方法の第３の実施例が示されている。図１１は端子台の平面図、図１２は図１１に図示端子台の正面図、図１３は図１１に図示端子台の側面図である
図１１〜図１３において、本実施例が図１〜図６に図示の実施例と異なるのは、図１〜図６に図示の実施例の端子台が合成樹脂材により一体成型されている端子台本体２の端子室を６、７を左・右一対、２室設けているのに対し、本実施例の端子台は合成樹脂材により一体成型されている端子台本体２の左・右一対の端子室を連接して６つ端子室を設けている点が異なる。他の構成は、図１〜図６に図示の実施例、図７〜図９に図示の実施例において説明した構成と同じである。
【００５８】
すなわち、端子台２０１は、端子台本体２０２と、端子受け板３（図１に図示の端子受け板３と同じ構成）と、端子押さえ板４（図１に図示の端子押さえ板４と同じ構成で）と、コイルスプリング５（図１に図示のコイルスプリング５と同じ構成）と、端子固定ビス４０（図１に図示の端子固定ビス４０と同じ構成）とによって構成されている。
【００５９】
端子台本体２０２は、合成樹脂材により一体成型されており、上部が開口され、矩形上に形成された左・右一対の室を連接した６つの端子室２０３、２０４、２０５、２０６、２０７、２０８を有している。この端子室２０３と端子室２０４と端子室２０５と端子室２０６と端子室２０７と端子室２０８とは、同様な構成になっているので、ここでは。便宜上、端子室２０３の構成について説明する。端子室２０３は、四方の壁面の一面が開放されている。また、この端子室２０３の開放面に対向する壁面２０３Ａには、端子室２０３と端子室２０４との間を連通するスリット２０９が形成されている。
【００６０】
また、端子室２０３の底面２０３Ｂには、溝２１０が形成されており、この溝２１０は、端子受け板３のねじ穴を形成する突起を通すためのものである。この溝２１０の両端部が端子受け板３を案内するガイドの役目を果たしている。また、この端子室２０３の底面２０３Ｂには、長方形状の穴２１１と、丸穴２１２とが形成されており、この端子室２０３の壁面２０３Ｃには、端子室２０３の深さ方向に棒状に延在するガイド部材２１３が設けられている。また、端子室２０３の壁面２０３Ａには、端子室２０３の深さ方向に延在する溝部２１４が設けられている。
【００６１】
図中、２１５、２１６、２１７は、端子台本体２を取り付ける取付部材で、２１５Ａ、２１６Ａ、２１７Ａは、取付部材２１５、２１６、２１７に設けられた端子台本体２０２をねじで取り付ける貫通孔である。
【図面の簡単な説明】
【００６２】
【図１】本発明に係る端子台、および端子台の組立方法の第１実施例を示す全体斜視図である。
【図２】図１に図示端子台の平面図である。
【図３】図２に図示端子台の正面図である。
【図４】図２に図示端子台の側面図である。
【図５】図１に図示端子受け板の平面図である。
【図６】図５に図示端子受け板の側面図である
【図７】本発明に係る端子台、および端子台の組立方法の第２実施例を示す端子台の斜視図である。
【図８】図７に図示の端子台の平面図である。
【図９】図７に図示端子台の正面図である。
【図１０】図７に図示端子台の側面図である。
【図１１】本発明に係る端子台、および端子台の組立方法の第３実施例を示す平面図である。
【図１２】図１１に図示端子台の正面図である。
【図１３】図１１に図示端子台の側面図である。
【符号の説明】
【００６３】
１…………………………………端子台
２…………………………………端子台本体紙
３…………………………………端子受け板
４…………………………………端子押さえ板
５…………………………………コイルスプリング
４０………………………………端子固定ビス
６、７、８、９…………………端子室
６Ａ、６Ｃ、６Ｄ………………壁面
６Ｂ………………………………底面
１２………………………………ガイド部材
１３………………………………溝部
３０………………………………皿部
３１………………………………足部
３３………………………………凹部
３４………………………………係止部
【図１】
2005174863.tif 000003
【図２】
2005174863.tif 000004
【図３】
2005174863.tif 000005
【図４】
2005174863.tif 000006
【図５】
2005174863.tif 000007
【図６】
2005174863.tif 000008
【図７】
2005174863.tif 000009
【図８】
2005174863.tif 000010
【図９】
2005174863.tif 000011
【図１０】
2005174863.tif 000012
【図１１】
2005174863.tif 000013
【図１２】
2005174863.tif 000014
【図１３】
2005174863.tif 000015